(57)【要約】【課題】１つの基地局がカバーする無線エリアが広範囲な場合でも、機能制御を行う場所を正確に特定して機能制御を行うことができる移動体通信端末を提供すること。【解決手段】予め複数の基地局情報を経路パターンとして記憶し、かつこの経路パターン上の特定の基地局情報に関連して機能の制御状態を記憶する。移動時、順次受信される複数の基地局情報を監視して、この複数の基地局情報からなる経路パターンが前記記憶された経路パターンと一致するかを判断する。経路パターンが一致すると判断されている状態において、前記特定の基地局情報が受信されると、その特定の基地局情報に関連して記憶された前記制御状態に機能を制御する。【選択図】      図１
2004254041.tif 000002
【特許請求の範囲】
【請求項１】
予め複数の基地局情報を経路パターンとして記憶し、かつこの経路パターン上の特定の基地局情報に関連して機能の制御状態を記憶する手段と、
移動時、順次受信される複数の基地局情報を監視して、この複数の基地局情報からなる経路パターンが前記記憶された経路パターンと一致するかを判断する手段と、
この判断手段により経路パターンが一致すると判断されている状態において、前記特定の基地局情報が受信されると、その特定の基地局情報に関連して記憶された前記制御状態に機能を制御する手段と
を具備することを特徴とする移動体通信端末。
【請求項２】
予め複数の基地局情報を経路パターンとして記憶する際、前記特定の基地局情報受信後、機能を制御するまでの遅延時間を同時に記憶し、移動時、前記特定の基地局情報を受信すると、記憶された前記遅延時間遅延後に、前記記憶された制御状態に機能が制御されることを特徴とする請求項１に記載の移動体通信端末。
【請求項３】
予め複数の基地局情報を経路パターンとして記憶する際、その複数の基地局情報に加えて、各基地局情報無線エリア内での端末の滞在時間、および各基地局との通話品質の少なくとも一方を経路パターンの追加情報として記憶し、移動時も基地局情報に加えて前記滞在時間および通話品質の少なくとも一方を監視し、経路パターンの一致判断の際、基地局情報に加えて前記滞在時間および通話品質の少なくとも一方を比較することを特徴とする請求項１または２に記載の移動体通信端末。
【請求項４】
経路パターンの一致判断の際、基地局情報は一致したが、滞在時間および通話品質の少なくとも一方については一致しなかった場合は、そのときの滞在時間および通話品質の少なくとも一方に基づいて、記憶されている滞在時間および通話品質の少なくとも一方を最適化することを特徴とする請求項３に記載の移動体通信端末。
【発明の詳細な説明】
【０００１】
【発明の属する技術分野】
本発明は、携帯電話機などの移動体通信端末に係り、特に基地局から送信される基地局情報を利用して特定の場所で機能を自動的に制御する移動体通信端末に関する。
【０００２】
【従来の技術】
【特許文献１】
特開平９−２３４７７号公報
【特許文献２】
特開２０００−２２４６４３号公報
【０００３】
従来、携帯電話機などの移動体通信端末においては、基地局から送信される基地局情報を利用して特定の場所で機能を自動的に制御することが行われている。例えば特許文献１では、目的地近くの基地局から送信される報知情報と同じ報知情報を移動機の不揮発性メモリに予め登録しておき、移動機が受信した報知情報が登録報知情報と一致したときに警報を発生させている。また、特許文献２では、携帯電話端末が出発地から出発し、目的地に向かって移動するときに携帯電話端末が基地局のＩＤを受信し、さらにこの受信したＩＤが記憶部に登録されているかどうかを判定し、登録されていないときには登録するような学習機能を備え、この学習機能にもとづいて登録されているＩＤから経路が外れたときに異常事態をリアルタイムに通知している。
【０００４】
【発明が解決しようとする課題】
しかしながら、従来は、特に特許文献１で明確であるように、特定の基地局からの基地局情報を受信することにより、場所が、機能制御を行う特定場所であると判断しているので、１つの基地局がカバーする無線エリアが小範囲のシステムでは機能制御を行う場所をかなり正確に特定できるが、１つの基地局がカバーする無線エリアが広範囲なシステムでは機能制御を行う場所を正確に特定し難く、特定場所から離れている場所でも、特定基地局の無線エリア内に端末が入っただけで所定の機能制御が行われてしまうという問題点があった。
【０００５】
本発明は上記の点に鑑みなされたもので、１つの基地局がカバーする無線エリアが広範囲な場合でも機能制御を行う場所を正確に特定して機能制御を行うことができる移動体通信端末を提供することを目的とする。
【０００６】
【課題を解決するための手段】
本発明の移動体通信端末は、予め複数の基地局情報を経路パターンとして記憶し、かつこの経路パターン上の特定の基地局情報に関連して機能の制御状態を記憶する手段と、移動時、順次受信される複数の基地局情報を監視して、この複数の基地局情報からなる経路パターンが前記記憶された経路パターンと一致するかを判断する手段と、この判断手段により経路パターンが一致すると判断されている状態において、前記特定の基地局情報が受信されると、その特定の基地局情報に関連して記憶された前記制御状態に機能を制御する手段とを具備することを特徴とする。
【０００７】
より好ましい形態としては、予め複数の基地局情報を経路パターンとして記憶する際、前記特定の基地局情報受信後、機能を制御するまでの遅延時間を同時に記憶し、移動時、前記特定の基地局情報を受信すると、記憶された前記遅延時間遅延後に、前記記憶された制御状態に機能が制御されるようにする。
【０００８】
さらに、予め複数の基地局情報を経路パターンとして記憶する際、その複数の基地局情報に加えて、各基地局情報無線エリア内での端末の滞在時間、および各基地局との通話品質の少なくとも一方を経路パターンの追加情報として記憶し、移動時も基地局情報に加えて前記滞在時間および通話品質の少なくとも一方を監視し、経路パターンの一致判断の際、基地局情報に加えて前記滞在時間および通話品質の少なくとも一方を比較するようにする。この方法において、経路パターンの一致判断の際、基地局情報は一致したが、滞在時間および通話品質の少なくとも一方については一致しなかった場合は、そのときの滞在時間および通話品質の少なくとも一方に基づいて、記憶されている滞在時間および通話品質の少なくとも一方を最適化することが好ましい。
【０００９】
【発明の実施の形態】
次に添付図面を参照して本発明による移動体通信端末の実施の形態を詳細に説明する。図２は本発明の移動体通信端末の実施の形態、すなわち携帯電話機を示す回路図である。この携帯電話機は、無線部１１、アンテナ１２、制御部１３、記憶部１４、操作部１５、表示部１６を有する。制御部１３は、この携帯電話機全体を制御する。無線部１１は、制御部１３により制御され、かつアンテナ１２に接続されて、基地局との無線通信を行う。記憶部１４は、制御部１３により制御されて、経路パターン、機能制御情報等と記憶する。操作部１５は多数のキーを備え、各種の設定およびデータを制御部１３に入力する。表示部１６はＬＣＤあるいは有機ＥＬなどからなり、制御部１３により制御されて各種の設定情報および入力データ等を表示する。
【００１０】
このような携帯電話機は、特定の場所で機能を所定の状態に自動的に制御するときは、その特定場所に至るまでの複数の基地局情報を予め受信して、その複数の基地局情報を、特定の場所に至るまでの経路パターンとして予め記憶部１４に記憶させると同時に、特定の場所で受信できる基地局情報に関連させて機能の制御情報を操作部１５の操作により予め記憶部１４に記憶させる。例えば図１の経路遷移例（以下、この経路遷移例を参照して説明する）で、場所Ｐ１→Ｐ２→Ｐ３→Ｐ４と経路が遷移し、場所Ｐ４でマナーモードを設定する場合は、各場所で受信できる基地局情報ＩＤ１，ＩＤ２，ＩＤ４を順次受信して、それらの基地局情報ＩＤ１，ＩＤ２，ＩＤ４を場所Ｐ４に至る経路パターンＬＰとして記憶部１４に予め記憶させると同時に、特定場所Ｐ４で受信できる基地局情報ＩＤ４に関連させて機能制御情報として“マナーマード”を操作部１５の操作により予め記憶部１４に記憶させる。
【００１１】
以後、移動に伴ない特定場所Ｐ４でマナーモードに自動的に設定するような使用法が実際に行われるが、その場合は、移動に伴ない順次受信される複数の基地局情報を順次受信して、その基地局情報を記憶させた基地局情報と比較して、現在の経路パターンが記憶させた経路パターンＬＰに一致するかを判断する。そして、経路パターンが一致していることを条件として、ＩＤ４の基地局情報が受信されたならば、記憶部１４に記憶されている機能制御情報を読出して、機能をマナーモードに自動的に設定する。
【００１２】
このような方法によれば、マナーモードに設定させる場所は、経路パターンＬＰ上のＩＤ４が受信される場所Ｐ３（広くても、基地局情報ＩＤ２とＩＤ４の無線エリアが接する部分）に特定できる。
【００１３】
しかし、場所Ｐ３からＰ４までは距離がある場合があり、マナーモードに設定される場所をより特定の場所Ｐ４に近づけることが好ましい。その場合は、経路パターンＬＰを記憶部１４に予め記憶させる際、Ｔ４−Ｔ３の遅延時間（ただし、Ｔ３は場所Ｐ３に到達して基地局情報ＩＤ４が受信開始された時間、Ｔ４はその後実際に場所Ｐ４に到達した時間）を経路パターンの追加情報として記憶部１４に記憶させる。そして、実際の移動時は、場所Ｐ３に到達して基地局情報ＩＤ４が受信開始されても直後にマナーモードに設定せず、記憶された遅延時間Ｔ４−Ｔ３（場所Ｐ３からＰ４に移動するのにかかる時間）遅延させてマナーモードに設定する。このようにすれば、特定の場所Ｐ４で正確にマナーモードに設定することができる。
【００１４】
このような方法において、記憶された経路パターンと移動時の経路パターンの一致を判断する際、判断の信頼性を高めるには、図３に示すように、予め複数の基地局情報を経路パターンとして記憶する際、その複数の基地局情報に加えて、各基地局情報無線エリア内での電話機の滞在時間、および各基地局との通話品質（例えばＲＳＳＩ）を経路パターンの追加情報として記憶し、移動時も図３に示すように基地局情報に加えて前記滞在時間および通話品質を監視し、経路パターンの一致判断の際、基地局情報に加えて前記滞在時間および通話品質の一致も判断する。
【００１５】
このとき、基地局情報は一致したが、滞在時間および通話品質の少なくとも一方が一致しない場合は、今回（すなわち、移動時）の経路パターンが記憶されている経路パターンにかなり近い経路パターンであると判定される。その場合は、機能制御を自動的に行わず、例えば図４に示すような画面を表示部１６に表示させて機能制御（例えばマナーモード設定）を行ってもよいかユーザに問い、ユーザが「Ｙｅｓ」の選択肢を決定キーの押下等で選択して、機能制御を許可したならば、機能制御を行うようにする。
【００１６】
また、今回（すなわち、移動時）検出された滞在時間および通話品質で、記憶されている滞在時間および通話品質を最適化（更新）する。例えば、図５に示すように、基地局情報ＩＤ１に対応して滞在時間が１０分と記憶されていたが、今回は滞在時間が１３分であったならば、基地局情報ＩＤ１に対応する滞在時間を１０〜１３分に更新させて、次回からは誤差分も認識できるようにデータに幅をもたせる。このようにして、経路パターンを学習しながら特定場所での自動機能制御を行えるようにすることにより、実用的な携帯電話機となる。
【００１７】
なお、図６のＲＳＳＩ変動遷移図から分かるように、各場所で一番大きいＲＳＳＩ（電界強度）の基地局情報を選択すれば、その場所を無線エリアとする基地局情報を取得できる。また、一番大きいＲＳＳＩの基地局情報が切替わる２つのタイミング間の時間ｔを測定すれば、各基地局情報無線エリアでの電話機の滞在時間が分かる。さらに、ＲＳＳＩは変動が激しいため、図３に示すように通話品質としてＲＳＳＩを記憶する場合は、滞在時間中におけるＲＳＳＩの平均値を求めて、平均値を記憶することが好ましい。
【００１８】
さらに、予め複数の基地局情報や滞在時間あるいは通話品質などの経路情報を経路パターンとして記憶させる方法としては、自動設定および手動設定の２通りの方法がある。自動設定は、基地局情報などの経路情報を移動に伴ない順次自動的に保存していって、ユーザがマナーモードなどの機能制御を行ったときに、いままで保存してあった経路情報を経路パターンとして記憶部１４に記憶させ、同時にマナーモードなどの機能制御情報を記憶部１４に自動的に記憶させる方法である。手動設定は、ユーザが経路の最初から最後までを操作部１５の操作で指定して、その間の受信経路情報を順次経路パターンとして記憶部１４に記憶させ、経路パターン確定後にユーザが、制御される機能の情報を操作部１５の操作により記憶部１４に記憶させる方法である。
【００１９】
図７は、以上のような動作を示すフローチャートである。ただし、このフローチャートは、移動時、特定の場所で所定の機能制御を行うときの動作を示し、このとき比較される経路パターンおよび実行される機能制御の情報は既に携帯電話機に記憶されており、このフローチャートには示されていない。
【００２０】
移動が開始されると、受信した信号からＲＳＳＩと基地局情報を取出し（ステップＳ１）、一番大きいＲＳＳＩを持つ基地局情報が切替わったか判断する（ステップＳ２）。そして、もし一番大きいＲＳＳＩを持つ基地局情報が切替わったならば、切替わった基地局情報と、切替わった時間を記憶部１４に保存する（ステップＳ３）。さらに、前回切替わり時に保存されている切替わる前の基地局情報と、前回切替わり時の時間および今回切替わり時の時間から計測される切替わる前の基地局情報無線エリアでの滞在時間、ならびに切替わる前の基地局情報の平均ＲＳＳＩ、すなわちいままでの経路情報より、いままでの経路パターンが予め記憶部１４に記憶されている経路パターンに一致するか判断される（ステップＳ４）。そして、もし、いままでの経路パターンが記憶部１４に予め記憶されている経路パターンに一致しなければ、動作はこれで終了する。
【００２１】
一方、ステップＳ４でいままでの経路パターンが記憶部１４に予め記憶されている経路パターンに一致すると判断されると、ステップＳ５に進んで、いま切替わった基地局情報が特定場所の基地局情報に一致するか判断される。そして、いま切替わった基地局情報が特定場所の基地局情報に一致しないと判断されると、ステップＳ２に戻って、次の基地局情報の切替わり、切替わった基地局情報および切替わり時間の保存（ステップＳ３）、いままでの経路パターンの比較（ステップＳ４）、切替わった基地局情報の判断（ステップＳ５）に備える。
【００２２】
一方、切替わった基地局情報がステップＳ５で特定場所の基地局情報に一致すると判断されると、ステップＳ６に進んで、ステップＳ４で判断された経路パターンの一致（この段階での一致には、滞在時間あるいは平均ＲＳＳＩにかなり幅をもたせてある）がどの程度のものであるか判断される。そして、いままでの経路パターンが予め記憶部１４に記憶されている経路パターンと完全一致あるいはほぼ一致（滞在時間や平均ＲＳＳＩの幅の範囲内）とステップＳ６で判断されたならば、ステップＳ７に進んで、記憶されている機能制御を実行する。このとき、機能制御は、基地局情報が特定場所の基地局情報に切替わった時点、図１によれば場所Ｐ３で実行される。そこで、前述したように、遅延時間を設けて、場所Ｐ３から特定の場所Ｐ４に更に移動が進んだときに機能制御を実行するようにすることもできる。
【００２３】
一方、ステップＳ６でいままでの経路パターンが記憶経路パターンとかなり近い一致と判定されたときは、ステップＳ８に進んで図４で示したように機能制御の確認画面を表示部１６に表示させる。そして、この確認画面を見てユーザが機能制御を許可すれば（ステップＳ９）、ステップＳ１０に進んで図５に示したような経路情報の最適化を行った上、ステップ７に進んで機能制御を実行する。一方、ステップＳ９でユーザが機能制御を拒否すれば、その時点で動作は終了し、機能制御は実行されない。
【００２４】
以上、本発明の好ましい実施の形態を詳述した。この実施の形態では、経路パターンの一致の判断の信頼性を高めるために、基地局情報に加えて滞在時間および通話品質の両方を経路パターンの追加情報として予め記憶させたり監視したが、追加情報は、滞在時間および通話品質の少なくとも一方だけでもよい。また、制御される機能は、マナーモードの設定を具体例として挙げたが、その外に、マナーモードの解除、留守電の設定／解除、オフラインモードのオン／オフなどが挙げられ、さらにこれらに限定されるものではない。
【００２５】
また、実施の形態では、経路に対して最良の通話品質（一番大きいＲＳＳＩを持つ）基地局情報による経路パターンを記憶したが、同時に経路に対して次に通話品質の良い（二番目に大きいＲＳＳＩを持つ）基地局情報による経路パターンを記憶して、移動時、最良の通話品質の経路パターンと同時に次に通話品質のよい経路パターンについても比較を行って、共に一致したときのみ機能を制御させるようにすることもできる。
【００２６】
さらに、実施の形態は、本発明を携帯電話機に適用した場合であるが、本発明は、ＰＤＡやテレマティクスに搭載される移動体通信端末、ＰＨＳ電話機、携帯電話機であってもＣＤＭＡ方式の携帯電話機などにも適用できる。
【００２７】
【発明の効果】
以上詳細に説明したように本発明の移動体通信端末によれば、経路パターンを比較するようにしたので、１つの基地局がカバーする無線エリアが広範囲な場合でも、機能制御を行う場所を正確に特定して機能制御を行うことができる。このような本発明の移動体通信端末は、経路パターンを記憶し比較するので、経路が決まっている通勤や通学路の途中において所望の制御を実行する場合などに特に好適である。
【図面の簡単な説明】
【図１】本発明による移動体通信端末の実施の形態を説明するための図で、経路遷移例を示す図。
【図２】本発明による移動体通信端末の実施の形態を示す回路図。
【図３】本発明による移動体通信端末の実施の形態を説明するための図で、記憶および監視される情報の内容を示す図。
【図４】本発明による移動体通信端末の実施の形態を説明するための図で、機能制御の確認画面を示す図。
【図５】本発明による移動体通信端末の実施の形態を説明するための図で、経路情報の最適化例を示す図。
【図６】本発明による移動体通信端末の実施の形態を説明するための図で、ＲＳＳＩ変動遷移例を示す図。
【図７】本発明による移動体通信端末の実施の形態を説明するための図で、移動時の動作を示すフローチャート。
【符号の説明】
１１  無線部
１２  アンテナ
１３  制御部
１４  記憶部
１５  操作部
１６  表示部
【図１】
2004254041.tif 000003
【図２】
2004254041.tif 000004
【図３】
2004254041.tif 000005
【図４】
2004254041.tif 000006
【図５】
2004254041.tif 000007
【図６】
2004254041.tif 000008
【図７】
2004254041.tif 000009